【事件の表示】
　特願２００５−１７１８７２「液晶ディスプレイ装置」拒絶査定不服審判事件〔平成１８年　１月　５日出願公開、特開２００６−　　３８９４〕について、次のとおり審決する。
【結　論】
　本件審判の請求は、成り立たない。
【理　由】
１　手続の経緯  
　
　平成１７年　６月１３日　特許出願（パリ条約による優先権主張２００４年６月１４日、アメリカ合衆国）
　平成２０年　７月　８日　拒絶理由通知（同年７月１０日発送）
　平成２０年１１月　７日　意見書・手続補正書
　平成２１年　１月２７日　拒絶査定（同年１月３０日送達）
　平成２１年　４月３０日　本件審判請求
　平成２１年　５月２９日　手続補正書
　平成２２年　４月１９日　審尋（平成２２年４月２０日発送）
　平成２２年　７月１２日　回答書
 　 
２　平成２１年５月２９日付け手続補正についての補正却下の決定 
　
[補正却下の決定の結論] 
　
　平成２１年５月２９日付け手続補正を却下する。 
　
[理由］独立特許要件違反 
　
 　平成２１年５月２９日付け手続補正（以下「本件補正」という。）により、本件補正前の特許請求の範囲は、 
「・・・
【請求項８】
　パネル、及び、前記パネルを駆動する駆動システムを含み、
　前記駆動システムは、
　電圧源から一つの電圧を受け、当該電圧をレベルの異なる複数の電圧に変換し、これら複数の電圧を前記パネルに供給する電源回路、
　前記パネルに複数の制御信号を提供するタイミング制御装置、
　複数のビデオ信号を受け、複数の解読されたビデオ信号を前記パネルに提供するビデオチップ、
　基準クロック周波数を提供する位相ロックループ、及び、
　前記制御信号とビデオ信号を受け、前記パネルを駆動するソースドライバを含み、
　前記電源回路は、パルス幅変調器を含み、このパルス幅変調器は、電圧源からの電圧信号を受け、変調後の電圧レベル-10V，7.5V，15Vを前記パネルに提供することを特徴とする液晶ディスプレイ装置。
・・・」から 
「・・・
【請求項８】 
　パネル、及び、前記パネルを駆動する駆動システムを含み、
　前記駆動システムは、
　電圧源から一つの電圧を受け、当該電圧をレベルの異なる複数の電圧に変換し、これら複数の電圧を前記パネルに供給する電源回路、
　
共通電圧増幅器からなり共通電圧信号をパネルに供給する共通電圧回路、
　
光源を駆動し、前記パネルを点灯させる発光ダイオードドライバ、
　前記パネルに複数の制御信号を提供するタイミング制御装置、
　複数のビデオ信号を受け、複数の解読されたビデオ信号を前記パネルに提供するビデオチップ、
　基準クロック周波数を提供する位相ロックループ、及び、
　前記制御信号とビデオ信号を受け、前記パネルを駆動するソースドライバを含み、
　前記電源回路は、パルス幅変調器を含み、このパルス幅変調器は、電圧源からの電圧信号を受け、変調後の電圧レベル-10V，7.5V，15Vを前記パネルに提供することを特徴とする液晶ディスプレイ装置。
・・・」
に補正された。 （下線は、補正箇所を明示するために請求人が付した。）
　
　そして、この補正は、請求項８について、駆動システムが含む発明特定事項に関して、「共通電圧増幅器からなり共通電圧信号をパネルに供給する共通電圧回路」及び「光源を駆動し、前記パネルを点灯させる発光ダイオードドライバ」を付加するものである。
　
　したがって、この補正は、特許請求の範囲の減縮を目的とするものに該当する。 
　そこで、本件補正後の請求項８に係る発明が特許出願の際独立して特許を受けることができるものであるか（平成１８年法律第５５号改正附則第３条第１項によりなお従前の例によるとされる同法による改正前の特許法第１７条の２第５項において準用する特許法第１２６条第５項の規定に適合するか）について検討する。 
　
（１）本件補正後の本願発明 
　
　本願の請求項８に係る発明（以下「本願補正発明」という。）は、本件補正により補正された明細書、特許請求の範囲及び図面の記載からみて、その請求項８に記載された以下のものと認める。 
「パネル、及び、前記パネルを駆動する駆動システムを含み、
　前記駆動システムは、
　電圧源から一つの電圧を受け、当該電圧をレベルの異なる複数の電圧に変換し、これら複数の電圧を前記パネルに供給する電源回路、
　共通電圧増幅器からなり共通電圧信号をパネルに供給する共通電圧回路、
　光源を駆動し、前記パネルを点灯させる発光ダイオードドライバ、
　前記パネルに複数の制御信号を提供するタイミング制御装置、
　複数のビデオ信号を受け、複数の解読されたビデオ信号を前記パネルに提供するビデオチップ、
　基準クロック周波数を提供する位相ロックループ、及び、
　前記制御信号とビデオ信号を受け、前記パネルを駆動するソースドライバを含み、
　前記電源回路は、パルス幅変調器を含み、このパルス幅変調器は、電圧源からの電圧信号を受け、変調後の電圧レベル-10V，7.5V，15Vを前記パネルに提供することを特徴とする液晶ディスプレイ装置。」
　
（２）引用発明 
（２−１）引用刊行物の記載事項
　原査定の拒絶の理由に引用され、本願の優先日前の２００４年１月２９日に頒布された刊行物である特開２００４−２９５４０号公報（以下「引用刊行物」という。）には、「表示制御駆動装置および表示システム」の発明に関して、以下の事項が記載されている。 
　
＜記載事項１＞
「【０００１】
【発明の属する技術分野】
この発明は、液晶パネルを表示駆動する液晶表示制御駆動装置さらには半導体集積回路化された液晶表示制御駆動装置の駆動信号の出力方式に適用して有効な技術に関し、例えばＬＴＰＳ（低温ポリシリコン）液晶パネルを駆動する液晶表示制御駆動装置およびそれを用いた液晶表示システムに利用して有効な技術に関する。
【０００２】
【従来の技術】
近年、携帯電話器やＰＤＡ（パーソナル・デジタル・アシスタンツ）などの携帯用電子機器の表示装置としては、一般に複数の表示画素がマトリックス状に２次元配列されたドットマトリックス型液晶パネルが用いられており、機器内部にはこの液晶パネルの表示制御を行なう半導体集積回路化された表示制御装置（液晶コントローラ）や液晶パネルを駆動するドライバもしくはドライバを内蔵した表示制御駆動装置（液晶コントローラドライバ）が搭載されている。」
　
＜記載事項２＞
「【０００６】
従来のカラー液晶パネルは各ソース線毎に外部端子が設けられているため、パネルの大きさすなわち表示ドット数が大きくなるほど外部端子数が多くなる。液晶パネルはこのパネルを駆動する半導体集積回路化された表示制御駆動装置に比べると大きいため、パネルの大型化に伴って外部端子数が増加してもそれほど問題はないが、半導体集積回路化される表示制御駆動装置は外部端子数の増加によってチップ面積およびパッケージの容積が大きくなるため、できるだけ外部端子数は少なくしたいという要望がある。」
　
＜記載事項３＞ 
「【００１３】
【発明の実施の形態】
以下、この発明の好適な実施の形態を図面に基づいて説明する。
図１は、本発明に係る液晶表示制御駆動装置（液晶コントロールドライバ）を備えた携帯電話器の全体構成を示すブロック図である。
この実施例の携帯電話器は、表示部としての液晶パネル１００、送受信用のアンテナ１２０、音声出力用のスピーカ１３０、音声入力用のマイクロホン１４０、ＣＣＤ（チャージ・カップルド・デバイス）やＭＯＳセンサなどからなる固体撮像素子１５０、該固体撮像素子１５０からの画像信号を処理するＤＳＰ（Ｄｉｇｉｔａｌ　Ｓｉｇｎａｌ　Ｐｒｏｃ
ｅｓｓｏｒ）などからなる画像信号処理回路２３０、本発明に係る液晶表示制御駆動装置としての液晶コントロールドライバ２００、スピーカ１３０やマイクロホン１４０の信号の入出力を行なう音声インタフェース２４１、アンテナ１２０との間の信号の入出力を行なう高周波インタフェース２４２、音声信号や送受信信号に係る信号処理等を行なうベースバンド部２５０、ＭＰＥＧ方式等に従った動画処理等マルチメディア処理機能や解像度調整機能、ジャヴァ高速処理機能等を有するマイクロプロセッサなどからなる動画処理回路（以下、アプリケーションプロセッサと称する）２６０、電源用ＩＣ２７０およびデータ記憶用のメモリ２８０等を備えてなる。アプリケーションプロセッサ２６０は、固体撮像素子１５０からの画像信号の他、高周波インタフェース２４２を介して他の携帯電話器から受信した動画データも処理する機能を有する。
【００１４】
一点鎖線Ａで囲まれた部分のＩＣや部品はプリント配線基板のような１枚の基板上に搭載される。これまで液晶コントロールドライバ２００は同じ基板上に実装されていたが、最近では携帯電話などの携帯端末の小型・薄型化のため、液晶コントロールドライバ２００及び電源用ＩＣ２７０は液晶パネル１００のガラス上にＣＯＧ（Ｃｈｉｐ　ｏｎ　Ｇｌａｓｓ）実装されることが増えている。システムバス２９０と表示データバス２９５が形成され、画像信号処理回路２３０と液晶コントロールドライバ２００とベースバンド部２５０とアプリケーションプロセッサ２６０およびメモリ２８０はシステムバス２９０を介して接続され、液晶コントロールドライバ２００とアプリケーションプロセッサ２６０およびメモリ２８０はさらに表示データバス２９５に接続されている。
【００１５】
なお、上記ベースバンド部２５０は、例えばＤＳＰ（Ｄｉｇｉｔａｌ　Ｓｉｇｎａｌ　Ｐｒｏｃｅｓｓｏｒ）などからなり音声信号処理を行なう音声信号処理回路２５１、カスタム機能（ユーザ論理）を提供するＡＳＩＣ（ａｐｐｌｉｃａｔｉｏｎ　ｓｐｅｃｉｆｉｃ　ｉｎｔｅｇｒａｔｅｄ　ｃｉｒｃｕｉｔｓ）２５２、ベースバンド信号の生成や表示制御、システム全体の制御等を行なうデータ処理装置としてのマイクロプロセッサもしくはマイクロコンピュータ（以下、マイコンと略す）２５３等により構成される。
【００１６】
上記液晶パネル１００は、表示画素がマトリックス状に配列されたドットマトリックス方式のカラー低温ポリシリコン（ＬＴＰＳ）ＴＦＴ液晶パネルであり、１画素は赤、青、緑の３ドットで構成されている。また、各画素には画素電極と該画素電極を充放電するＴＦＴ（薄膜トランジスタ）からなるスイッチ素子が設けられ、同一列の画素のスイッチ素子のソースは画像信号を伝達する共通のソース線に接続され、同一行の画素のスイッチ素子のゲートは画素選択レベルを伝達する共通の配線（ゲート線と称する）に接続されている。
【００１７】
所定のブロック単位で一括消去可能なフラッシュメモリ３００は、表示制御を含む携帯電話器システム全体の制御プログラムや制御データが記憶される。メモリ２８０は，さまざまな画像処理を行った画像データ等が保存されるフレームバッファ等として用いられ，通常ＳＲＡＭやＳＤＲＡＭが用いられる。
【００１８】
図２は、図１に示されている液晶コントロールドライバ２００の実施例を示すブロック図である。
この実施例の液晶コントロールドライバ２００は、外部からの発振信号もしくは外部端子に接続された振動子からの発振信号に基づいてチップ内部の基準クロックパルスを生成するパルスジェネレータ２０１、このクロックパルスに基づいてチップ内部のタイミング制御信号を発生するタイミング制御回路２０２、外部のマイコン２５３からの指令に基づいてチップ内部全体を制御する制御部２０３、前記システムバス２９０を介してマイコン２５３との間でコマンドや静止画像データなどのデータの送受信を行なうシステム・インタフェース２０４、外部の電源用ＩＣ２７０に対して制御信号ＧＣＳやクロック信号ＧＣＬ
、コマンドＧＤＡ等を供給する電源インタフェース２０５等を備えている。
【００１９】
なお、電源用ＩＣ２７０は、液晶駆動に必要な電圧を生成したり、タイミング制御回路２０２から出力されるクロックＳＦＴＣＬＫ１，２やＣＬＡ〜ＣＬＣ，フレーム同期信号ＦＬＭ，表示制御信号ＤＩＳＰＴＭＧ，ＥＱなどをレベルシフトして液晶パネル１００に供給する機能も備えている。なお、電源用ＩＣ２７０によってレベル変換されたタイミング信号に関しては、その記号の末尾に、ＳＦＴＣＬＫ１Ｏ，ＳＦＴＣＬＫ２Ｏ，ＥＧＯ（当審注：「ＥＱＯ」の誤記と認める。），ＦＬＭＯ，ＣＬＡＯ〜ＣＬＣＯ、ＤＩＳＰＴＭＧＯ等のように“Ｏ（オー）”が付されている。この実施例の液晶コントロールドライバ２００は、このような機能を有する電源用ＩＣ２７０とセットで用いられる。液晶パネル１００と液晶コントロールドライバ２００と電源用ＩＣ２７０の関係を示すと、図３のようになる。
【００２０】
また、この実施例の液晶コントロールドライバ２００には、表示データをビットマップ方式で記憶する表示メモリとしての表示ＲＡＭ（Ｒａｎｄｏｍ　Ａｃｃｅｓｓ　Ｍｅｍｏｒｙ）２０６、上記表示ＲＡＭ２０６に対するアドレスを生成するアドレスカウンタ２０７、表示ＲＡＭ２０６から読み出されたデータを保持するリードデータラッチ回路２０８、リードデータラッチ回路２０８に読み出されたデータすなわち既に表示されている表示内容とマイコン２５３から供給された新たな表示データとに基づいてすかし表示や重ね合わせ表示のための論理演算を行なう論理演算手段やスクロール表示のためのビットシフト手段などを備えマイコン２５３からの書込みデータまたは表示ＲＡＭ２０６からのリードデータに対するビット処理を行なうビットオペレーション回路２０９、ビット処理されたデータを取り込んで上記表示ＲＡＭ２０６に対してデータの書込みを行なう書込みラッチ回路２２１、前記表示データバス２９５を介して前記アプリケーションプロセッサ２６０からの動画データや水平・垂直同期信号ＨＳＹＮＣ，ＶＳＹＮＣを受ける外部表示インタフェース２２２が設けられている。前記アプリケーションプロセッサ２６０からの動画データは、ドットクロック信号ＤＯＴＣＬＫに同期して供給される。外部表示インタフェース２２２はマイコン２５３から供給される静止画像データも受けることができる。
【００２１】
さらに、この実施例の液晶コントロールドライバ２００には、外部の電源用ＩＣ２７０から供給される電圧ＤＤＶＤＨやＶＤＨ，およびＶＧＳに基づいてカラー表示や階調表示に適した波形信号を生成するのに必要な階調電圧を生成する階調電圧生成回路２２３、液晶パネル１００のγ特性に合わせた階調電圧を設定するγ調整回路２２４、液晶パネルへの表示のために表示ＲＡＭ２０６から読み出された表示データを保持する表示データラッチ回路２２５、該表示データラッチ回路２２５に読み出された表示データからＲＧＢそれぞれのデータを選択するとともに液晶の劣化を防止する交流駆動のためのデータに変換するセレクタ＆交流化回路２２６、変換されたデータを保持するラッチ回路２２７、上記階調電圧生成回路２２３から供給される階調電圧の中から表示データに応じた電圧を選択して液晶パネル１００のソース線に印加される電圧Ｓ１〜Ｓ２５６を出力する出力する（当審注：「出力する出力する」は「出力する」の誤記と認める。）液晶駆動回路２２８、外部から供給される３．３Ｖや２．５Ｖのような電圧Ｖｃｉを降圧して１．５Ｖのような内部回路の電源電圧Ｖｄｄを生成する電圧レギュレータ２２９等が設けられている。ＴＳ０〜ＴＳ３，ＣＯＭ０Ｐ〜ＣＯＭ１Ｍは電圧レギュレータ２２９で生成される電圧を調整するためのトリミング信号である。なお、図２において、ＳＥＬ１，ＳＥＬ２はデータセレクタである。」
　
　また、図１には、液晶コントロールドライバを備えた携帯電話機の全体構成に関して、以下の事項が図示されている。
＜事項１＞
・一点鎖線Ａで囲まれた部分の回路群には、液晶コントロールドライバ２００（当審注：図中の「液晶コントローラ」は、「液晶コントロールドライバ」の誤記と認める。）と電源用ＩＣ２７０と、アプリケーションプロセッサ２６０が含まれている。
　
　また、図３には、液晶パネルと液晶コントロールドライバと電源用ＩＣの接続関係に関して、以下の事項が図示されている。
＜事項２＞
・電源ＩＣ２７０から出力されたＶｃｏｍが、液晶パネル１００および液晶コントロールドライバ２００（当審注：図中の「液晶コントローラドライバ」は、「液晶コントロールドライバ」の誤記と認める。）に入力されている。
　
＜記載事項４＞ 
「【００２７】
図４には、上記液晶駆動回路２２８と液晶パネル側の回路の構成例が示されている。図４において、図２に示されている回路と同一の回路には同一の符号を付して重複した説明は省略する。また、図４では、電源用ＩＣ２７０を省略してある。そのため、タイミング制御回路２０２から出力される信号が液晶パネル１００へ直接供給されるように示されている。電源用ＩＣ２７０の機能を液晶コントローラドライバ２００内に取り込むことにより、このような接続も可能である。」
　
＜記載事項５＞ 
「【００２９】
液晶駆動回路２２８は、レベルシフト回路ＬＳ１〜ＬＳ２５６と階調電圧選択回路ＳＶＳ１〜ＳＶＳ２５６とから構成されており、単位ラッチ回路ＬＴ１〜ＬＴ２５６にラッチされたデータ信号はレベルシフト回路ＬＳ１〜ＬＳ２５６によりレベルシフトされ、その信号によって階調電圧選択回路ＳＶＳ１〜ＳＶＳ２５６が階調電圧生成回路２２３で生成された電圧のうち表示データに応じた電圧を選択して出力端子Ｐ１〜Ｐ２５６より液晶パネル１００へ出力する。
【００３０】
液晶パネル１００は、特に制限されるものでないが、この実施例では、各ライン（行）毎にＲＧＢの画素が順に繰返し配置され、列方向には同一色の画素が並ぶように配置されている。各画素は、ＴＦＴからなるスイッチ素子ＳＷと、画素電極ＥＬとから構成され、画素電極と液晶を挟んで対抗する共通電極との間の容量に対して画像信号に応じた電荷が蓄積される。」
　
（２−２）引用刊行物に記載された発明
（２−２−１）
　上記記載事項１には、「【０００１】【発明の属する技術分野】この発明は、液晶パネルを表示駆動する液晶表示制御駆動装置さらには半導体集積回路化された液晶表示制御駆動装置の駆動信号の出力方式に適用して有効な技術に関し、例えばＬＴＰＳ（低温ポリシリコン）液晶パネルを駆動する液晶表示制御駆動装置およびそれを用いた液晶表示システムに利用して有効な技術に関する。」と記載されている。
　この記載によれば、引用刊行物には、「液晶表示システム」の発明が記載されている。
　
（２−２−２）
　上記記載事項１には、「【０００１】・・・液晶パネルを駆動する液晶表示制御駆動装置・・・」と、また、上記記載事項３には、「【００１３】・・・図１は、本発明に係る液晶表示制御駆動装置（液晶コントロールドライバ）を備えた携帯電話器の全体構成を示すブロック図である。この実施例の携帯電話器は、表示部としての液晶パネル１００、・・・本発明に係る液晶表示制御駆動装置としての液晶コントロールドライバ２００、・・・ＭＰＥＧ方式等に従った動画処理等マルチメディア処理機能や解像度調整機能、ジャヴァ高速処理機能等を有するマイクロプロセッサなどからなる動画処理回路（以下、アプリケーションプロセッサと称する）２６０、電源用ＩＣ２７０およびデータ記憶用のメモリ２８０等を備えてなる。アプリケーションプロセッサ２６０は、固体撮像素子１５０からの画像信号の他、高周波インタフェース２４２を介して他の携帯電話器から受信した動画データも処理する機能を有する。【００１４】一点鎖線Ａで囲まれた部分のＩＣや部品はプリント配線基板のような１枚の基板上に搭載される。・・・【００１９】なお、電源用ＩＣ２７０は、液晶駆動に必要な電圧を生成したり、タイミング制御回路２０２から出力されるクロックＳＦＴＣＬＫ１，２やＣＬＡ〜ＣＬＣ，フレーム同期信号ＦＬＭ，表示制御信号ＤＩＳＰＴＭＧ，ＥＱなどをレベルシフトして液晶パネル１００に供給する機能も備えている。・・・【００２０】また、この実施例の液晶コントロールドライバ２００には、・・・前記表示データバス２９５を介して前記アプリケーションプロセッサ２６０からの動画データや水平・垂直同期信号ＨＳＹＮＣ，ＶＳＹＮＣを受ける外部表示インタフェース２２２が設けられている。」と記載されている。また、液晶コントロールドライバを備えた携帯電話機の全体構成に関して、図１から、上記事項１として、「一点鎖線Ａで囲まれた部分の回路群には、液晶コントロールドライバ２００と電源用ＩＣ２７０と、アプリケーションプロセッサ２６０とが含まれている」ことが読み取れる。
　これらの記載、及び、この事項によれば、引用刊行物に記載された「液晶表示システム」は、「液晶パネル１００と、回路群とを有し、前記回路群は、前記液晶パネル１００を駆動する液晶コントロールドライバ２００と、液晶駆動に必要な電圧を生成して、前記液晶パネル１００に供給する電源用ＩＣ２７０と、受信した動画データに対してＭＰＥＧ方式等に従った動画処理等を行い、動画データを出力するアプリケーションプロセッサ２６０とを含」んでいる。
　
（２−２−３）
　上記記載事項５には、「【００３０】液晶パネル１００は、特に制限されるものでないが、この実施例では、各ライン（行）毎にＲＧＢの画素が順に繰返し配置され、列方向には同一色の画素が並ぶように配置されている。各画素は、ＴＦＴからなるスイッチ素子ＳＷと、画素電極ＥＬとから構成され、画素電極と液晶を挟んで対抗する共通電極との間の容量に対して画像信号に応じた電荷が蓄積される。」と記載されている。また、液晶パネルと液晶コントロールドライバと電源用ＩＣの接続関係に関して、図３から、上記事項２として、「電源ＩＣ２７０から出力されたＶｃｏｍが、液晶パネル１００および液晶コントロールドライバ２００に入力されている」ことが読み取れる。
　また、共通電極に供給される共通電圧信号をＶｃｏｍと表記することは、当該技術分野における通例である。
　よって、この記載、及び、これらの事項から、引用刊行物に記載された「液晶表示システム」の「電源用ＩＣ２７０」は、「液晶パネル１００の各画素を構成する共通電極にＶｃｏｍを供給する」ものである。
　
（２−２−４）
　上記記載事項３には、「【００１８】・・・この実施例の液晶コントロールドライバ２００は、外部からの発振信号もしくは外部端子に接続された振動子からの発振信号に基づいてチップ内部の基準クロックパルスを生成するパルスジェネレータ２０１、このクロックパルスに基づいてチップ内部のタイミング制御信号を発生するタイミング制御回路２０２、・・・を備えている。【００１９】なお、電源用ＩＣ２７０は、液晶駆動に必要な電圧を生成したり、タイミング制御回路２０２から出力されるクロックＳＦＴＣＬＫ１，２やＣＬＡ〜ＣＬＣ，フレーム同期信号ＦＬＭ，表示制御信号ＤＩＳＰＴＭＧ，ＥＱなどをレベルシフトして液晶パネル１００に供給する機能も備えている。」と記載されている。
　この記載によれば、引用刊行物に記載された「液晶表示システム」の「液晶コントロールドライバ２００」は、「外部からの発振信号もしくは外部端子に接続された振動子からの発振信号に基づいてチップ内部の基準クロックパルスを生成するパルスジェネレータ２０１と、チップ内部のタイミング制御信号、及び、前記液晶パネル１００に対する、クロックＳＦＴＣＬＫ１，２やＣＬＡ〜ＣＬＣ，フレーム同期信号ＦＬＭ，表示制御信号ＤＩＳＰＴＭＧ，ＥＱなどを発生するタイミング制御回路２０２」とを備えている。
　
（２−２−５）
　上記記載事項３には、「【００１８】・・・この実施例の液晶コントロールドライバ２００は、・・・このクロックパルスに基づいてチップ内部のタイミング制御信号を発生するタイミング制御回路２０２、・・・を備えている。【００２０】また、この実施例の液晶コントロールドライバ２００には、表示データをビットマップ方式で記憶する表示メモリとしての表示ＲＡＭ（Ｒａｎｄｏｍ　Ａｃｃｅｓｓ　Ｍｅｍｏｒｙ）２０６、・・・前記表示データバス２９５を介して前記アプリケーションプロセッサ２６０からの動画データや水平・垂直同期信号ＨＳＹＮＣ，ＶＳＹＮＣを受ける外部表示インタフェース２２２が設けられている。・・・【００２１】さらに、この実施例の液晶コントロールドライバ２００には、・・・液晶パネルへの表示のために表示ＲＡＭ２０６から読み出された表示データを保持する表示データラッチ回路２２５、該表示データラッチ回路２２５に読み出された表示データからＲＧＢそれぞれのデータを選択するとともに液晶の劣化を防止する交流駆動のためのデータに変換するセレクタ＆交流化回路２２６、変換されたデータを保持するラッチ回路２２７、上記階調電圧生成回路２２３から供給される階調電圧の中から表示データに応じた電圧を選択して液晶パネル１００のソース線に印加される電圧Ｓ１〜Ｓ２５６を出力する液晶駆動回路２２８・・・等が設けられている。」と記載されている。
　この記載によれば、引用刊行物に記載された「液晶表示システム」の「液晶コントロールドライバ２００」は、「アプリケーションプロセッサ２６０から出力された動画データを受け、表示データとして記憶する表示ＲＡＭ２０６と、前記タイミング制御回路２０２により発生された前記タイミング制御信号と、前記表示ＲＡＭ２０６から読み出された表示データを受け、前記表示データに応じた電圧を選択して液晶パネル１００のソース線に印加される電圧Ｓ１〜Ｓ２５６を出力する液晶駆動回路２２８」とを備えている。
　
（２−２−６）
（２−２−１）〜（２−２−５）によれば、引用刊行物には、以下の発明が記載されている。 
「液晶パネル１００と、回路群とを有し、
　前記回路群は、
　前記液晶パネル１００を駆動する液晶コントロールドライバ２００と、
　液晶駆動に必要な電圧を生成して、前記液晶パネル１００に供給する電源用ＩＣ２７０と、
　受信した動画データに対してＭＰＥＧ方式等に従った動画処理等を行い、動画データを出力するアプリケーションプロセッサ２６０とを含み、
　前記電源用ＩＣ２７０は、前記液晶パネル１００の各画素を構成する共通電極にＶｃｏｍを供給し、
　前記液晶コントロールドライバ２００は、
　外部からの発振信号もしくは外部端子に接続された振動子からの発振信号に基づいてチップ内部の基準クロックパルスを生成するパルスジェネレータ２０１と、
　チップ内部のタイミング制御信号、及び、前記液晶パネル１００に対する、クロックＳＦＴＣＬＫ１，２やＣＬＡ〜ＣＬＣ，フレーム同期信号ＦＬＭ，表示制御信号ＤＩＳＰＴＭＧ，ＥＱなどを発生するタイミング制御回路２０２と、
　前記アプリケーションプロセッサ２６０から出力された動画データを受け、表示データとして記憶する表示ＲＡＭ２０６と、
　前記タイミング制御回路２０２により発生された前記タイミング制御信号と、前記表示ＲＡＭ２０６から読み出された表示データを受け、前記表示データに応じた電圧を選択して液晶パネル１００のソース線に印加される電圧Ｓ１〜Ｓ２５６を出力する液晶駆動回路２２８と
　を備えた液晶表示システム。」（以下、「引用発明」という。）
　　
（３）対比 
　本願補正発明と引用発明とを比較する。 
　
（３−１）
　引用発明の「液晶パネル１００」は、本願補正発明の「パネル」に相当し、以下同様に、「液晶表示システム」は「液晶ディスプレイ装置」に相当する。
　
　また、引用発明の「回路群」は、「前記液晶パネル１００を駆動する液晶コントロールドライバ２００」を含んでいるから、引用発明の「回路群」は、「前記液晶パネル１００を駆動する」ものである。
　よって、引用発明の「前記液晶パネル１００を駆動する」「回路群」は、本願補正発明の「前記パネルを駆動する駆動システム」に相当する。
　
（３−２）
　引用発明の「回路群」に含まれる「液晶駆動に必要な電圧を生成して、前記液晶パネル１００に供給する電源用ＩＣ２７０」と、本願補正発明の「駆動システム」に含まれる「電圧源から一つの電圧を受け、当該電圧をレベルの異なる複数の電圧に変換し、これら複数の電圧を前記パネルに供給する電源回路」とは共に、「駆動システム」に含まれる「液晶駆動に必要な電圧を生成して、前記パネルに供給する電源回路」である点で共通する。
　
（３−３）
　引用発明の「Ｖｃｏｍ」は、本願補正発明の「共通電圧信号」に相当する。
　よって、引用発明の「回路群」に含まれる「電源用ＩＣ２７０」の「前記液晶パネル１００の各画素を構成する共通電極にＶｃｏｍを供給」する機能部分と、本願補正発明の「駆動システム」に含まれる「共通電圧増幅器からなり共通電圧信号をパネルに供給する共通電圧回路」とは共に、「駆動システム」に含まれる「共通電圧信号をパネルに供給する共通電圧回路」である点で共通する。
　
（３−４）
　引用発明の「チップ内部のタイミング制御信号」及び「クロックＳＦＴＣＬＫ１，２やＣＬＡ〜ＣＬＣ，フレーム同期信号ＦＬＭ，表示制御信号ＤＩＳＰＴＭＧ，ＥＱなど」は、本願補正発明の「複数の制御信号」に相当する。
　よって、引用発明の「回路群」に含まれる「液晶コントロールドライバ２００」が備える「チップ内部のタイミング制御信号、及び、前記液晶パネル１００に対する、クロックＳＦＴＣＬＫ１，２やＣＬＡ〜ＣＬＣ，フレーム同期信号ＦＬＭ，表示制御信号ＤＩＳＰＴＭＧ，ＥＱなどを発生するタイミング制御回路２０２」は、本願補正発明の「駆動システム」に含まれる「前記パネルに複数の制御信号を提供するタイミング制御装置」に相当する。
　　
（３−５）
　引用発明の「受信」した「動画データ」は、本願補正発明の「受け」た「ビデオ信号」に相当し、以下同様に、「ＭＰＥＧ方式等に従った動画処理」は「解読」に、「ＭＰＥＧ方式等に従った動画処理」等が行われた「動画データ」は、「解読」された「ビデオ信号」に相当する。
　よって、引用発明の「回路群」に含まれる「液晶コントロールドライバ２００」が備える「受信した動画データに対してＭＰＥＧ方式等に従った動画処理等を行い、動画データを出力するアプリケーションプロセッサ２６０」は、本願補正発明の「駆動システム」に含まれる「複数のビデオ信号を受け、複数の解読されたビデオ信号を前記パネルに提供するビデオチップ」に相当する。
　
（３−６）
　引用発明の「基準クロック」は、本願補正発明の「基準クロック」に相当する。
　よって、引用発明の「回路群」に含まれる「液晶コントロールドライバ２００」が備える「外部からの発振信号もしくは外部端子に接続された振動子からの発振信号に基づいてチップ内部の基準クロックパルスを生成するパルスジェネレータ２０１」と、本願補正発明の「駆動システム」に含まれる「基準クロック周波数を提供する位相ロックループ」とは共に、「基準クロック周波数を提供する回路部」である点で共通する。
　
（３−７）
　引用発明において、液晶駆動回路２２８が受ける表示データは、アプリケーションプロセッサ２６０から出力された動画データが、表示ＲＡＭ２０６に表示データとして記憶されたものである。
　そして、（３−５）の相当関係から、引用発明の「ＭＰＥＧ方式等に従った動画処理」等が行われた「動画データ」は、本願補正発明の「解読」された「ビデオ信号」に相当するから、つまるところ、引用発明の「液晶駆動回路２２８」が受ける「表示データ」は、本願補正発明の「ビデオ信号」に相当する。
　よって、引用発明の「回路群」に含まれる「液晶コントロールドライバ２００」が備える「前記タイミング制御回路２０２により発生された前記タイミング制御信号と、前記表示ＲＡＭ２０６から読み出された表示データを受け、前記表示データに応じた電圧を選択して液晶パネル１００のソース線に印加される電圧Ｓ１〜Ｓ２５６を出力する液晶駆動回路２２８」は、本願補正発明の「駆動システム」に含まれる「前記制御信号とビデオ信号を受け、前記パネルを駆動するソースドライバ」に相当する。
　
（３−７）
　したがって、本願補正発明と引用発明の両者は、 
「パネル、及び、前記パネルを駆動する駆動システムを含み、
　前記駆動システムは、
　液晶駆動に必要な電圧を生成して、前記パネルに供給する電源回路、
　共通電圧信号をパネルに供給する共通電圧回路、
　前記パネルに複数の制御信号を提供するタイミング制御装置、
　複数のビデオ信号を受け、複数の解読されたビデオ信号を前記パネルに提供するビデオチップ、
　基準クロック周波数を提供する回路部、及び、
　前記制御信号とビデオ信号を受け、前記パネルを駆動するソースドライバを含む
液晶ディスプレイ装置。」の点で一致し、以下の点で相違する。 
　
 [相違点１] 
　電源回路に関し、本願補正発明では「電圧源から一つの電圧を受け、当該電圧をレベルの異なる複数の電圧に変換し、これら複数の電圧を前記パネルに供給する電源回路であって、前記電源回路は、パルス幅変調器を含み、このパルス幅変調器は、電圧源からの電圧信号を受け、変調後の電圧レベル-10V，7.5V，15Vを前記パネルに提供する」のに対し、引用発明ではそのような発明特定事項が限定されていない点。
　
［相違点２］
　共通電圧回路に関し、本願補正発明では「共通電圧増幅器からなる」のに対し、引用発明ではそのような発明特定事項が明示されていない点。
　
［相違点３］
　光源の駆動部に関し、本願補正発明では「光源を駆動し、前記パネルを点灯させる発光ダイオードドライバ」を含んでいるのに対し、引用発明ではそのような発明特定事項が明示されていない点。
　
［相違点４］
　基準クロック周波数を提供する回路部に関し、本願補正発明では「位相ロックループ」であるのに対し、引用発明ではそのような発明特定事項が明示されていない点。
　
（４）当審の判断 
相違点１について 
　電源回路として、電圧源から一つの電圧を受け、当該電圧をレベルの異なる複数の電圧に変換して、これらの複数の電圧をパネルに供給する電源回路は、原査定において挙げられた特開２００３−２２８３１４号公報の特に段落【０００３】〜【０００６】、【００２１】〜【００２５】、図１、２、８、９に記載されているように、周知の構成である。
　そして、電源回路が、パルス幅変調器を含むことは、例えば、特開２００２−３５１４１７号公報の特に段落【０００３】〜【００１７】、図５に、特開２００１−３３７６５３号公報の特に段落【００１５】〜【００２１】、図１に記載されているように、一般的な事項である。
　よって、引用発明において、電源用ＩＣ２７０が液晶駆動に必要な電圧を生成して、前記液晶パネル１００に供給しているところ、電源回路として、上記周知の構成を採用して、電圧源から１つの電圧を受け、当該電圧をレベルの異なる複数の電圧に変換して、これらの複数の電圧をパネルに供給するようにし、かかる電源回路にパルス幅変調器を含ませることは、当業者が容易になし得たことである。その際、パネルに供給する複数の電圧レベルを、-10V，7.5V，15Vとすることは、使用する液晶パネルの特性に応じて、当業者が適宜なし得る設計的事項に過ぎない。 
　したがって、上記相違点１に係る本願補正発明の発明特定事項は、当業者が引用発明及び上記周知の構成に基づいて容易に想到し得たことである。
　
相違点２について
　所定の電圧信号を生成するにあたって、増幅器を使用することは、至極一般的な事項である。
　したがって、上記相違点２に係る本願補正発明の発明特定事項は、当業者が引用発明に基づいて容易に想到し得たことである。
　
相違点３について
　「液晶表示装置の駆動制御」の技術分野において、光源駆動部として、液晶パネルを点灯する発光ダイオード制御回路を採用することは、例えば、特開２００１−３５０４２１号公報の特に段落【００６０】に記載されているように、周知・慣用の技術（以下、「周知・慣用の技術１」という。）である。
　よって、引用発明の液晶表示システムは、上記記載事項１に「【０００２】・・・携帯電話器やＰＤＡ（パーソナル・デジタル・アシスタンツ）などの携帯用電子機器の表示装置としては、一般に複数の表示画素がマトリックス状に２次元配列されたドットマトリックス型液晶パネルが用いられており・・・」と記載されているように、暗闇での使用も想定される携帯電話器に用いられているところ、液晶パネルを照明する光源を設け、かかる光源の駆動部として、周知・慣用の技術１を適用して、液晶パネルを点灯する発光ダイオード制御回路を採用することは、当業者が容易になし得たことである。
　したがって、上記相違点３に係る本願補正発明の発明特定事項は、当業者が引用発明及び周知・慣用の技術１に基づいて容易に想到し得たことである。
　
相違点４について
　「液晶表示装置の駆動制御」の技術分野において、基準クロック周波数を提供する回路部として、「位相ロックループを採用する」ことは、例えば、特開平６−２０２１６０号公報の特に段落【００８２】、図４に記載されているように、周知・慣用の技術（以下、「周知・慣用の技術２」という。）である。
　よって、引用発明において、パルスジェネレータ２０１が外部からの発振信号もしくは外部端子に接続された振動子からの発振信号に基づいてチップ内部の基準クロックパルスを生成しているところ、その具体的構成として、周知・慣用の技術２を適用し、位相ロックループを採用することは、当業者が容易になし得たことである。
　したがって、上記相違点４に係る本願補正発明の発明特定事項は、当業者が引用発明及び周知・慣用の技術２に基づいて容易に想到し得たことである。
　
　そして、本願補正発明によってもたらされる効果は、引用発明、並びに、上記周知の構成及び周知・慣用の技術１〜２から想定することができない格別のものと認めることもできない。
　
　したがって、本願補正発明は、引用発明、並びに、上記周知の構成及び周知・慣用の技術１〜２に基づいて当業者が容易に発明をすることができたものである。 
　
　よって、本願補正発明は、特許法第２９条第２項の規定により、特許出願の際独立して特許を受けることができない。
　
　本願の請求項１５に係る発明について付言する。
　本願の請求項１５に係る発明は、本願の請求項８に係る発明の発明特定事項に加えて、さらに、駆動システムが含む発明特定事項に関して、「複数の同期信号を分離する同期分離器」を付加し、「前記電源回路、共通電圧回路、発光ダイオードドライバ、同期分離器、タイミング制御装置、位相ロックループ、ソースドライバは、集積回路の中に組み込まれており」なる発明特定事項を限定したものである。
　一方、引用刊行物の上記記載事項３には、「【００２０】・・・前記表示データバス２９５を介して前記アプリケーションプロセッサ２６０からの動画データや水平・垂直同期信号ＨＳＹＮＣ，ＶＳＹＮＣを受ける外部表示インタフェース２２２が設けられている。・・・」と記載されており、引用発明の「アプリケーションプロセッサ２６０」は、「複数の同期信号（水平・垂直同期信号ＨＳＹＮＣ，ＶＳＹＮＣ）を分離する」機能を有している。
　そして、引用発明の液晶コントロールドライバ２００は、パルスジェネレータ２０１、タイミング制御回路２０２、表示ＲＡＭ２０６、液晶駆動回路２０２を備えたものであり、複数の機能素子が半導体集積回路化されたものである。
　さらに、上記記載事項４には、「【００２７】・・・電源用ＩＣ２７０の機能を液晶コントローラドライバ２００内に取り込むことにより、このような接続も可能である。」と記載されており、引用刊行物には、液晶コントロールドライバ２００に、電源用ＩＣ２７０の機能を取り込む思想が開示されている。
　また、「液晶表示装置の駆動制御」の技術分野において、別体として構成されていた複数の回路を一体化した回路とすることにより、不要輻射が軽減されることは、例えば、原審の拒絶の理由に引用された、特開平１１−７２６８号公報の特に段落【０００３】〜【０００８】に記載されているように、周知の事項である。
　よって、引用発明において、液晶コントロールドライバ２００は複数の機能素子が半導体集積回路化されたものであるところ、上記周知の事項を勘案し、液晶コントロールドライバ２００に対して、他の回路も含めたさらなる集積化を図ることは、当業者が当然に想到し得たことである。
　したがって、本願の請求項１５に係る発明は、引用発明、並びに、上記周知の構成、上記周知の事項及び周知・慣用の技術１〜２に基づいて当業者が
容易に発明をすることができたものである。
　
（５）まとめ 
　以上のとおり、本件補正は、平成１８年法律第５５号改正附則第３条第１項によりなお従前の例によるとされる同法による改正前の特許法第１７条の２第５項において準用する特許法第１２６条第５項の規定に違反するから、特許法第１５９条第１項で読み替えて準用する特許法第５３条第１項の規定により却下されるべきものである。 
　
３　本願発明について 
　
　平成２１年５月２９日付け手続補正は上記のとおり却下されたので、本願の請求項８に係る発明（以下、「本願発明」という。）は、平成２０年１１月７日付けの手続補正により補正された特許請求の範囲からみて、請求項８に記載されたとおりのものと認める。（前記「２」の項参照。） 
　
４　引用刊行物 
　
　引用刊行物に記載された引用発明は、前記「２　（２−２−６）」に記載されたとおりである。 
　
５　対比・判断
　
　本願発明は、前記「２」で検討した本願補正発明から、「共通電圧増幅器からなり共通電圧信号をパネルに供給する共通電圧回路」及び「光源を駆動し、前記パネルを点灯させる発光ダイオードドライバ」を省いたものである。
　そうすると、本願発明と引用発明とを比較すると、両者は検討済みの相違点１、４において相違し、その余の点で一致する。
　したがって、本願発明は、前記「２　（４）当審の判断」の「相違点１について」及び「相違点４について」において示した理由により、引用発明、並びに、上記周知の構成及び周知・慣用の技術２に基いて当業者が容易に発明をすることができたものである。
　
６　むすび 
　以上のとおり、本願発明は、引用発明、並びに、上記周知の構成及び周知・慣用の技術２に基いて当業者が容易に発明をすることができたものであるから、特許法第２９条第２項の規定により特許を受けることができない。 
　したがって、他の請求項に係る発明について審理するまでもなく、本願は拒絶すべきものである。
　
　よって、結論のとおり審決する。